(57)【要約】【課題】パンツ型吸収性物品の胴周り部の柔軟性を向上させつつ、胴周り部の形状を維持すること。【解決手段】パンツ型吸収性物品（１）であって、胴周り部（２０）は一対のシート（２１，２２）と複数の伸縮部材（２３）とを有し、伸縮部材（２３）の少なくとも一つは、胴周り部（２０）の左右方向の一端部から他端部まで連続し、左右方向の両端部が一対のシート（２１，２２）に固定された一対の端部固定部（５０）と、左右方向における端部固定部（５０）よりも内側において一対のシート（２１，２２）に固定されていない非固定部（５１）とを有し、左右方向における係止部（４０）よりも外側の領域に、当該領域を補強する補強手段（６０）が配置され、非固定部（５１）が位置する領域の少なくとも一部には補強手段（６０）が配置されていない。【選択図】図４
2020151254.tif 000002
【特許請求の範囲】
【請求項１】
左右方向と、上下方向とを有し、
一対の胴周り部と、吸収性本体とを有し、前記一対の胴周り部それぞれの前記左右方向の両側部が一対の係止部にて係止されているパンツ型吸収性物品であって、
前記一対の胴周り部のうちの少なくとも一方は、一対のシートと、前記一対のシート間に配置された前記左右方向に伸縮する複数の伸縮部材とを有し、
前記複数の伸縮部材のうちの少なくとも一つは、
前記一方の前記胴周り部の前記左右方向の一端部から他端部まで連続して配置され、かつ、
前記左右方向の両端部が前記一対のシートに固定された一対の端部固定部と、前記左右方向における前記端部固定部よりも内側において、前記一対のシートに固定されていない非固定部とを有し、
前記一方の前記胴周り部では、前記左右方向における前記係止部よりも外側の領域に、当該領域を補強する補強手段が配置されており、前記非固定部が位置する領域の少なくとも一部には、前記補強手段が配置されていないことを特徴とするパンツ型吸収性物品。
【請求項２】
請求項１に記載のパンツ型吸収性物品であって、
前記端部固定部は、前記左右方向における前記係止部よりも内側に配置されていることを特徴とするパンツ型吸収性物品。
【請求項３】
請求項１又は２に記載のパンツ型吸収性物品であって、
前記補強手段は、別のシートであることを特徴とするパンツ型吸収性物品。
【請求項４】
請求項３に記載のパンツ型吸収性物品であって、
前記別のシートは、フィルムであることを特徴とするパンツ型吸収性物品。
【請求項５】
請求項３又は４に記載のパンツ型吸収性物品であって、
前記別のシートは、前記左右方向における前記係止部よりも外側の、前記一対のシート間において、前記一対のシートに接着剤で固定されていることを特徴とするパンツ型吸収性物品。
【請求項６】
請求項２から４の何れか１項に記載のパンツ型吸収性物品であって、
前記左右方向において、前記別のシートの内側端は、前記係止部の内側端よりも内側に位置していることを特徴とするパンツ型吸収性物品。
【請求項７】
請求項６に記載のパンツ型吸収性物品であって、
前記左右方向において、前記別のシートの内側端は、前記端部固定部の内側端よりも外側に位置していることを特徴とするパンツ型吸収性物品。
【請求項８】
請求項１から７の何れか１項に記載のパンツ型吸収性物品であって、
前記補強手段は、前記伸縮部材、及び、当該伸縮部材を前記一対のシートに固定する接着剤であることを特徴とするパンツ型吸収性物品。
【請求項９】
請求項８に記載のパンツ型吸収性物品であって、
前記補強手段である前記伸縮部材は、前記一対の端部固定部と前記非固定部とを有する前記伸縮部材であり、
前記端部固定部は、前記左右方向における前記係止部よりも内側に配置され、
前記端部固定部では、前記伸縮部材が前記一対のシートに接着剤で固定されており、
前記端部固定部の前記接着剤と、前記補強手段である前記接着剤とが、前記左右方向に連続していることを特徴とするパンツ型吸収性物品。
【請求項１０】
請求項１から９の何れか１項に記載のパンツ型吸収性物品であって、
前記左右方向において、前記補強手段の内側端は、前記吸収性本体の外側端よりも外側に位置していることを特徴とするパンツ型吸収性物品。
【請求項１１】
請求項１から１０の何れか１項に記載のパンツ型吸収性物品であって、
前記補強手段は、少なくとも、前記左右方向において、前記係止部の外側端から前記一方の前記胴周り部の端に亘り配置されていることを特徴とするパンツ型吸収性物品。
【請求項１２】
請求項１から１１の何れか１項に記載のパンツ型吸収性物品であって、
前記一方の前記胴周り部は、前記幅方向における前記端部固定部よりも内側において前記一対のシート同士が接合される第１シート接合部であって、前記幅方向における前記端部固定部よりも内側において、前記伸縮部材を前記一対のシートに固定する部位と交差することなく配置される第１シート接合部を有さないことを特徴とするパンツ型吸収性物品。
【請求項１３】
請求項１から１１の何れか１項に記載のパンツ型吸収性物品であって、
前記一方の前記胴周り部には、前記左右方向における前記係止部の外側端よりも内側の領域に、前記一対のシート同士が接合された第２シート接合部が配置されており、前記左右方向における前記係止部の外側端よりも外側の領域に、前記第２シート接合部が配置されていないことを特徴とするパンツ型吸収性物品。
【請求項１４】
請求項１３に記載のパンツ型吸収性物品であって、
前記第２シート接合部は、前記係止部から前記左右方向の内側に離間して配置されていることを特徴とするパンツ型吸収性物品。
【請求項１５】
請求項１４に記載のパンツ型吸収性物品であって、
左右方向において、前記第２シート接合部の外側端は、前記端部固定部の内側端よりも内側に位置していることを特徴とするパンツ型吸収性物品。
【請求項１６】
請求項１から１５の何れか１項に記載のパンツ型吸収性物品であって、
前記係止部は、前記左右方向に分割された半円形状である溶着部を前記上下方向に並んで複数有することを特徴とするパンツ型吸収性物品。
【請求項１７】
請求項１から１６の何れか１項に記載のパンツ型吸収性物品であって、
前記一対のシートの少なくとも一方には、表裏に貫通する開孔が間隔を空けて複数設けられており、
前記胴周り部において、前記非固定部が設けられている領域と、前記開孔が設けられている領域と、が重複する部分を有することを特徴とするパンツ型吸収性物品。
【発明の詳細な説明】
【技術分野】
【０００１】
本発明は、パンツ型吸収性物品に関する。
【背景技術】
【０００２】
吸収性物品の胴周り部の伸縮構造として、２枚のシート層の間に、伸縮方向に沿って設けられた細長状の弾性伸縮部材を備えるものがある。例えば、特許文献１には、弾性伸縮部材の両端部が２枚のシート層に固定されるとともに、その固定端部の間では弾性伸縮部材が２枚のシート層に非固定の自由部となっている伸縮構造が開示されている。
【先行技術文献】
【特許文献】
【０００３】
【特許文献１】特許第６２５４６２５号公報
【発明の概要】
【発明が解決しようとする課題】
【０００４】
一般的なパンツ型吸収性物品は、伸縮部材を備えた一対の胴周り部それぞれの左右方向の両側部が一対の係止部にて係止されている。特許文献１のように、胴周り部が備える弾性伸縮部材の両端部を２枚のシート層に固定し、その固定端部の間では弾性伸縮部材を２枚のシート層に固定しない自由部とすることで、胴周り部の柔軟性が向上する。しかし、胴周り部の柔軟性が向上することで胴周り部がたくれやすくなり、係止部だけでは胴周り部の形状が維持され難くなってしまう。そうすると、着用者の胴周りを吸収性物品の胴周り部でしっかりと覆うことができず、排泄物の漏れや着け心地の低下に繋がる。
【０００５】
本発明は、上記のような問題に鑑みてなされたものであって、パンツ型吸収性物品の胴周り部の柔軟性を向上させつつ、胴周り部の形状を維持することを目的とする。
【課題を解決するための手段】
【０００６】
上記目的を達成するための主たる発明は、左右方向と、上下方向とを有し、一対の胴周り部と、吸収性本体とを有し、前記一対の胴周り部それぞれの前記左右方向の両側部が一対の係止部にて係止されているパンツ型吸収性物品であって、前記一対の胴周り部のうちの少なくとも一方は、一対のシートと、前記一対のシート間に配置された前記左右方向に伸縮する複数の伸縮部材とを有し、前記複数の伸縮部材のうちの少なくとも一つは、前記一方の前記胴周り部の前記左右方向の一端部から他端部まで連続して配置され、かつ、前記左右方向の両端部が前記一対のシートに固定された一対の端部固定部と、前記左右方向における前記端部固定部よりも内側において、前記一対のシートに固定されていない非固定部とを有し、前記一方の前記胴周り部では、前記左右方向における前記係止部よりも外側の領域に、当該領域を補強する補強手段が配置されており、前記非固定部が位置する領域の少なくとも一部には、前記補強手段が配置されていないことを特徴とするパンツ型吸収性物品である。
本発明の他の特徴については、本明細書及び添付図面の記載により明らかにする。
【発明の効果】
【０００７】
本発明によれば、パンツ型吸収性物品の胴周り部の柔軟性を向上させつつ、胴周り部の形状を維持することができる。
【図面の簡単な説明】
【０００８】
【図１】パンツ型使い捨ておむつ１の概略斜視図である。
【図２】展開状態かつ伸長状態のおむつ１の概略平面図である。
【図３】図２のＩＩ線での概略断面図である。
【図４】第１実施形態の腹側胴周り部２０の概略平面図である。
【図５】図４に示す腹側胴周り部２０の端部の拡大図である。
【図６】第１実施形態における係止部４０よりも外側の領域の概略断面図である。
【図７】変形例の腹側胴周り部２０の概略平面図である。
【図８】図８Ａ及び図８Ｂは係止部４０の説明図である。
【図９】第２実施形態の腹側胴周り部２０の端部の概略平面図である。
【図１０】第２実施形態における係止部４０よりも外側の領域の概略断面図である。
【図１１】第３実施形態の胴周り部２０の概略平面図である。
【図１２】第３実施形態の胴周り部２０の概略平面図である。
【図１３】複数の開孔２５を有するシート２１、２２の一例を表す概略斜視図である。
【発明を実施するための形態】
【０００９】
本明細書及び添付図面の記載により、少なくとも以下の事項が明らかとなる。
左右方向と、上下方向とを有し、一対の胴周り部と、吸収性本体とを有し、前記一対の胴周り部それぞれの前記左右方向の両側部が一対の係止部にて係止されているパンツ型吸収性物品であって、前記一対の胴周り部のうちの少なくとも一方は、一対のシートと、前記一対のシート間に配置された前記左右方向に伸縮する複数の伸縮部材とを有し、前記複数の伸縮部材のうちの少なくとも一つは、前記一方の前記胴周り部の前記左右方向の一端部から他端部まで連続して配置され、かつ、前記左右方向の両端部が前記一対のシートに固定された一対の端部固定部と、前記左右方向における前記端部固定部よりも内側において、前記一対のシートに固定されていない非固定部とを有し、前記一方の前記胴周り部では、前記左右方向における前記係止部よりも外側の領域に、当該領域を補強する補強手段が配置されており、前記非固定部が位置する領域の少なくとも一部には、前記補強手段が配置されていないことを特徴とするパンツ型吸収性物品。
【００１０】
このようなパンツ型吸収性物品によれば、伸縮部材の非固定部によって胴周り部の柔軟性を向上させることができる。また、左右方向における係止部よりも外側の領域が補強されて、上下方向に延びた柱として機能し、胴周り部の形状が維持されやすくなる。
【００１１】
かかるパンツ型吸収性物品であって、前記端部固定部は、前記左右方向における前記係止部よりも内側に配置されていることを特徴とするパンツ型吸収性物品。
【００１２】
このようなパンツ型吸収性物品によれば、係止部とは別に端部固定部が配置されることによって、左右方向における胴周り部の端部が補強されて、胴周り部の形状が維持されやすくなる。
【００１３】
かかるパンツ型吸収性物品であって、前記補強手段は、別のシートであることを特徴とするパンツ型吸収性物品。
【００１４】
このようなパンツ型吸収性物品によれば、左右方向における係止部よりも外側の領域を補強できる。
【００１５】
かかるパンツ型吸収性物品であって、前記別のシートは、フィルムであることを特徴とするパンツ型吸収性物品。
【００１６】
このようなパンツ型吸収性物品によれば、剛性の高いフィルムによって、左右方向における係止部よりも外側の領域をより補強できる。
【００１７】
かかるパンツ型吸収性物品であって、前記別のシートは、前記左右方向における前記係止部よりも外側の、前記一対のシート間において、前記一対のシートに接着剤で固定されていることを特徴とするパンツ型吸収性物品。
【００１８】
このようなパンツ型吸収性物品によれば、別のシートに加えて接着剤によって、左右方向における係止部よりも外側の領域をより補強できる。
【００１９】
かかるパンツ型吸収性物品であって、前記左右方向において、前記別のシートの内側端は、前記係止部の内側端よりも内側に位置していることを特徴とするパンツ型吸収性物品。
【００２０】
このようなパンツ型吸収性物品によれば、別のシートが係止部を跨いで配置され、別のシートが係止部によって、しっかりと固定される。
【００２１】
かかるパンツ型吸収性物品であって、前記左右方向において、前記別のシートの内側端は、前記端部固定部の内側端よりも外側に位置していることを特徴とするパンツ型吸収性物品。
【００２２】
このようなパンツ型吸収性物品によれば、別のシートによって、端部固定部が位置する領域の剛性が高まり過ぎてしまうことを抑制でき、胴周り部の柔軟性を向上させることができる。
【００２３】
かかるパンツ型吸収性物品であって、前記補強手段は、前記伸縮部材、及び、当該伸縮部材を前記一対のシートに固定する接着剤であることを特徴とするパンツ型吸収性物品。
【００２４】
このようなパンツ型吸収性物品によれば、左右方向における係止部よりも外側の領域において、当該領域に存在している収縮した状態の伸縮部材を接着剤によって固定することができる。したがって、収縮状態の伸縮部材の剛性と、接着剤の剛性とによって、当該外側の領域における剛性がより高まり、係止部よりも外側の領域を補強できる。
【００２５】
かかるパンツ型吸収性物品であって、前記補強手段である前記伸縮部材は、前記一対の端部固定部と前記非固定部とを有する前記伸縮部材であり、前記端部固定部は、前記左右方向における前記係止部よりも内側に配置され、前記端部固定部では、前記伸縮部材が前記一対のシートに接着剤で固定されており、前記端部固定部の前記接着剤と、前記補強手段である前記接着剤とが、前記左右方向に連続していることを特徴とするパンツ型吸収性物品。
【００２６】
このようなパンツ型吸収性物品によれば、製造時の接着剤の塗布工程を容易にできる。
【００２７】
かかるパンツ型吸収性物品であって、前記左右方向において、前記補強手段の内側端は、前記吸収性本体の外側端よりも外側に位置していることを特徴とするパンツ型吸収性物品。
【００２８】
このようなパンツ型吸収性物品によれば、左右方向における補強手段の長さが長くなり過ぎてしまうことを抑制でき、胴周り部の柔軟性を向上させることができる。
【００２９】
かかるパンツ型吸収性物品であって、前記補強手段は、少なくとも、前記左右方向において、前記係止部の外側端から前記一方の前記胴周り部の端に亘り配置されていることを特徴とするパンツ型吸収性物品。
【００３０】
このようなパンツ型吸収性物品によれば、左右方向における係止部よりも外側の領域の広い範囲が補強され、胴周り部の形状が維持されやすくなる。
【００３１】
かかるパンツ型吸収性物品であって、前記一方の前記胴周り部は、前記幅方向における前記端部固定部よりも内側において前記一対のシート同士が接合される第１シート接合部であって、前記幅方向における前記端部固定部よりも内側において、前記伸縮部材を前記一対のシートに固定する部位と交差することなく配置される第１シート接合部を有さないことを特徴とする吸収性物品。
【００３２】
このようなパンツ型吸収性物品によれば、第１シート接合部が配置されていないことによって、胴周り部の柔軟性を向上させることができる。
【００３３】
かかるパンツ型吸収性物品であって、前記一方の前記胴周り部には、前記左右方向における前記係止部の外側端よりも内側の領域に、前記一対のシート同士が接合された第２シート接合部が配置されており、前記左右方向における前記係止部の外側端よりも外側の領域に、前記第２シート接合部が配置されていないことを特徴とするパンツ型吸収性物品。
【００３４】
このようなパンツ型吸収性物品によれば、第２シート接合部によって、一対のシートの浮きを抑制でき、パンツ型吸収性物品の外観が向上する。また、左右方向における係止部よりも外側の領域が第２シート接合部によって補強され過ぎてしまうことを抑制でき、胴周り部の柔軟性を向上させることができる。
【００３５】
かかるパンツ型吸収性物品であって、前記第２シート接合部は、前記係止部から前記左右方向の内側に離間して配置されていることを特徴とするパンツ型吸収性物品。
【００３６】
このようなパンツ型吸収性物品によれば、係止部の剛性が高まり過ぎてしまうことを抑制でき、胴周り部の柔軟性を向上させることができる。
【００３７】
かかるパンツ型吸収性物品であって、前記左右方向において、前記第２シート接合部の外側端は、前記端部固定部の内側端よりも内側に位置していることを特徴とするパンツ型吸収性物品。
【００３８】
このようなパンツ型吸収性物品によれば、端部固定部が位置する領域の剛性が高まり過ぎてしまうことを抑制でき、胴周り部の柔軟性を向上させることができる。
【００３９】
かかるパンツ型吸収性物品であって、前記係止部は、前記左右方向に分割された半円形状である溶着部を前記上下方向に並んで複数有することを特徴とするパンツ型吸収性物品。
【００４０】
このようなパンツ型吸収性物品によれば、係止部の上下方向の剛性を高めることができ、胴周り部の形状が維持されやすくなる。また、係止部の左右方向の長さが長くなり過ぎてしまうことを抑制でき、胴周り部の柔軟性を向上させることができる。
【００４１】
かかるパンツ型吸収性物品であって、前記一対のシートの少なくとも一方には、表裏に貫通する開孔が間隔を空けて複数設けられており、前記胴周り部において、前記非固定部が設けられている領域と、前記開孔が設けられている領域と、が重複する部分を有することを特徴とするパンツ型吸収性物品。
【００４２】
このようなパンツ型吸収性物品によれば、胴周り部において、柔軟性の高い非固定部と重複する領域に開孔が設けられていることにより、開孔の外周縁部の硬化による影響が相対的に小さくなり、胴周り部の触感が硬くなることを抑制できる。また、非固定部には接着剤が設けられていないため、開孔を通じて着用者に接着剤の粘着感を感じさせ難くなる。したがって、着用者に不快感を生じさせること無く、胴周り部の柔軟性や通気性を向上させることができる。
【００４３】
＝＝＝実施形態＝＝＝
以下、本発明に係るパンツ型吸収性物品として、乳幼児用のパンツ型使い捨ておむつを例に挙げて実施形態を説明する。ただし、本発明に係るパンツ型吸収性物品は、上記に限らず、大人用のパンツ型使い捨ておむつや、生理用ショーツ等にも適用できる。
【００４４】
＝＝＝パンツ型使い捨ておむつ１の構成＝＝＝
図１は、パンツ型使い捨ておむつ１（以下「おむつ」）の概略斜視図である。図２は、展開状態かつ伸長状態のおむつ１の概略平面図である。図３は、図２のＩＩ線での概略断面図である。パンツ型おむつにおける「展開状態」とは、後述する係止部４０の接合を解いて一対の胴周り部２０，３０を分離し、おむつ１を長手方向に開いた状態である。
【００４５】
おむつ１は、図１に示すパンツ型状態において、左右方向、上下方向、及び、前後方向を有し、胴周り開口部ＢＨ、及び、一対の脚周り開口部ＬＨが形成されている。上下方向において、胴周り側を上側とし、股下側を下側とする。前後方向において、着用者の腹側を前側とし、着用者の背側を後側とする。また、図３に示すように、おむつ１を構成する資材が積層された方向を厚さ方向といい、厚さ方向において着用者に接触する側を肌側とし、着用者に接触しない側を非肌側とする。
【００４６】
また、おむつ１は、一対の胴周り部２０，３０と、吸収性本体１０とを有する。一対の胴周り部２０，３０のうち、着用者の腹側部に当てられるものを腹側胴周り部２０とし、着用者の背側部に当てられるものを背側胴周り部３０とする。
【００４７】
また、おむつ１は、図２に示す展開状態において、左右方向における腹側胴周り部２０の中央部に、吸収性本体１０の長手方向一方側の端部が配置され、左右方向における背側胴周り部３０の中央部に、吸収性本体１０の長手方向他方側の端部が配置されている。展開状態のおむつ１において、吸収性本体１０がその長手方向の略中央で二つ折りされ、腹側胴周り部２０及び背側胴周り部３０それぞれの左右方向の両側部が一対の係止部４０において係止されることにより、図１に示すパンツ型状態のおむつ１となる。係止部４０における係止方法としては、溶着や接着剤による接合等を例示できる。
【００４８】
吸収性本体１０は、図３に示すように、吸収体１１と、吸収体１１よりも肌側に配置された液透過性のトップシート１２と、吸収体１１よりも非肌側に配置された液不透過性のバックシート１３と、バックシート１３よりも非肌側に配置された外装シート１４とを有する。
【００４９】
吸収体１１は、図２に示すように、尿等の排泄液を吸収して保持する吸収性コア１１Ａと、吸収性コア１１Ａを覆う液透過性のコアラップシート１１Ｂとを有する。吸収性コア１１Ａとしては、高吸収性ポリマー（ＳＡＰ）を含むパルプ等の液体吸収性繊維が所定の形状に成形されたものを例示できる。なお、吸収性コア１１Ａがコアラップシート１１Ｂで覆われていなくてもよい。
【００５０】
また、図２に示すように、左右方向における吸収性本体１０の両側部には、脚周り伸縮部材１５が設けられており、おむつ１は着用者の脚周りにフィットする。
【００５１】
腹側胴周り部２０及び背側胴周り部３０は、図３に示すように、それぞれ、不織布等の柔軟な肌側シート２１，３１及び非肌側シート２２，３２（一対のシート）と、肌側シート２１，３１と非肌側シート２２，３２の間に配置された左右方向に伸縮する複数の胴周り伸縮部材２３，３３とを有する。複数の胴周り伸縮部材２３，３３は、肌側シート２１，３１と非肌側シート２２，３２の間において、上下方向に間隔をあけて並んで配置されるとともに、左右方向に伸長した状態で固定されている。よって、腹側胴周り部２０及び背側胴周り部３０は左右方向に伸縮し、着用者の胴周りにフィットする。なお、胴周り伸縮部材２３，３３としては、糸ゴム等の糸状の伸縮部材や、細長の伸縮性シートを例示できる。また、胴周り部２０，３０の構成は図示するものに限定されず、例えば、一対のシートに異なるシートが積層された３層以上の構成であってもよいし、１枚のシートが折り曲げられて一対のシートとなった構成であってもよい。
【００５２】
また、本実施形態では、パンツ型使い捨ておむつとして、腹側胴周り部２０と背側胴周り部３０が分離され、腹側胴周り部２０と背側胴周り部３０と吸収性本体１０の３部材を有する所謂３ピースタイプを例示したがこれに限らない。例えば、腹側胴周り部２０と背側胴周り部３０が股下部を介して連続した一部材で形成されており、腹側胴周り部２０と背側胴周り部３０が一体化された外装部材と、吸収性本体の２部材を有する所謂２ピースタイプのパンツ型使い捨ておむつであってもよい。
【００５３】
＝＝＝胴周り部２０，３０について＝＝＝
（第１実施形態）
図４は、第１実施形態の腹側胴周り部２０の概略平面図である。図５は、図４に示す腹側胴周り部２０の端部の拡大図である。図６は、第１実施形態における係止部４０よりも外側の領域の概略断面図である。図７は、変形例の腹側胴周り部２０の概略平面図である。図８Ａ及び図８Ｂは、係止部４０の説明図である。
【００５４】
以下、腹側胴周り部２０を例に挙げて一対の胴周り部２０，３０の構成を説明する。ただし、一対の胴周り部２０，３０のうちの少なくとも一方が以下の構成であればよい。すなわち、両胴周り部２０，３０が以下の構成であってもよいし、腹側胴周り部２０が以下の構成と異なり背側胴周り部３０が以下の構成であってもよいし、腹側胴周り部２０が以下の構成であり背側胴周り部３０が以下の構成と異なっていてもよい。他の実施形態も同様である。
【００５５】
腹側胴周り部２０（以下「胴周り部２０」）が有する複数の胴周り伸縮部材２３（本発明の伸縮部材）は、胴周り部２０の左右方向の一端部から他端部まで連続して配置された複数の「連続伸縮部材２３１」と、左右方向に非連続に配置された複数の「非連続伸縮部材２３２」とを有する。
【００５６】
非連続伸縮部材２３２は、連続伸縮部材２３１よりも下方に配置されており、左右方向において吸収性コア１１Ａと重複する領域の少なくとも一部において非連続（非伸縮）となっている。そうすることで、胴周り伸縮部材２３による吸収性コア１１Ａの収縮を抑制できる。ただし、胴周り部２０は、非連続伸縮部材２３２を有していなくてもよい。
【００５７】
連続伸縮部材２３１は、その左右方向の両端部が肌側シート２１及び非肌側シート２２に固定された「一対の端部固定部５０」を有する。なお、端部固定部５０における固定方法は、特に限定されず、例えば、連続伸縮部材２３１に塗布された接着剤による固定や、肌側シート２１及び非肌側シート２２（以下「一対のシート２１，２２」）の内側面に塗布された接着剤による固定や、連続伸縮部材２３１を横切る一対の溶着部で固定する方法等、周知の方法を例示できる。
【００５８】
さらに、連続伸縮部材２３１は、左右方向における端部固定部５０よりも内側において、一対のシート２１，２２に固定されていない「非固定部５１」を有する。胴周り伸縮部材２３が一対のシート２１，２２に固定されている部位は、固定されていない部位に比べて、接着剤の硬化等により剛性が高まる。そのため、連続伸縮部材２３１が非固定部５１を有することで、例えば胴周り伸縮部材２３がほぼ全域に亘り一対のシート２１，２２に固定されている場合に比べて、剛性の高い部位の面積を小さくすることができる。よって、胴周り部２０の柔軟性を向上させることができ、胴周り部２０の着け心地を良くすることができる。
【００５９】
特に、第１実施形態（図４）では、非固定部５１が、左右方向の一方側の端部固定部５０から他方側の端部固定部５０まで連続し、左右方向に長く配置されている。そのため、胴周り部２０の柔軟性がより向上する。
【００６０】
ただし、胴周り部２０の柔軟性が向上することで、胴周り部２０の剛性が低下し、胴周り部２０は、たくれたり潰れたりと変形しやすくなる。パンツ型おむつ１の場合、胴周り部２０の左右方向の両端部に上下方向に延びた係止部４０が配置されているが、係止部４０だけでは胴周り部２０の形状（ここでは矩形形状）を維持することが難しい。そうすると、着用者の胴周りを胴周り部２０でしっかりと覆うことができず、排泄物の漏れや着け心地の低下に繋がる。
【００６１】
そこで、胴周り部２０のうち、左右方向における係止部４０よりも外側の領域に、当該領域を補強する補強手段６０を配置し、係止部４０の外側の領域の上下方向の剛性を高める。そうすることで、係止部４０及び係止部４０よりも外側の領域が、上下方向に延びた柱として機能し、胴周り部２０のたくれや潰れを抑制できる。このように胴周り部２０の形状が維持されることで、着用者の胴周りを胴周り部２０でしっかりと覆うことができる。なお、係止部４０よりも外側の領域とは、左右方向において係止部４０の外側端４０ａよりも外側の領域である。
【００６２】
一方、連続伸縮部材２３１の非固定部５１が位置する領域の少なくとも一部には、前記補強手段６０が配置されていないものとする。そのため、非固定部５１が位置する領域の少なくとも一部は補強されて剛性が高まることがなく、胴周り部２０の柔軟性が維持される。なお、非固定部５１が位置する領域に補強手段６０が配置されていないとは、非固定部５１と補強手段６０とが厚さ方向（おむつ１の前後方向）に重なっていないことである。
【００６３】
第１実施形態では、補強手段６０を、一対のシート２１，２２とは異なる別のシート６１とする。係止部４０よりも左右方向の外側の領域に別のシート６１が配置されることで、その外側の領域の積層枚数が増え、その外側の領域は補強される。別のシート６１は、図６に示すように一対のシート２１，２２の間に配置されていてもよいし、厚さ方向において一対のシート２１，２２の外側に配置されていてもよい。
【００６４】
また、補強手段６０である別のシート６１は「フィルム」であることが好ましい。フィルムとは、例えばポリエチレン、ポリプロピレン、ポリエステル等のプラスチックフィルムである。そして、一対のシート２１，２２を構成する不織布等の柔軟なシートと比べて剛性の高いフィルムを補強手段６０として使用する場合には、左右方向における係止部４０よりも外側の領域の補強効果が高まり、胴周り部２０の形状を維持しやすくすることができる。ただし、上記に限らず、別のシート６１がフィルム以外のシート（不織布等）であってもよい。
【００６５】
また、図５に示すように、別のシート６１（補強手段６０）は、少なくとも、左右方向において、係止部４０の外側端４０ａから胴周り部２０の端２０ａに亘り配置されていることが好ましい。また、この実施形態では、別のシート６１の上下方向の長さが係止部４０の上下方向の長さと等しい。つまり、左右方向において係止部４０よりも外側の領域であり、上下方向において係止部４０と重複する領域の全域に亘り、別のシート６１が配置されている。このように係止部４０よりも外側の領域の広い範囲に別のシート６１が配置されていることで、広い範囲の剛性が高まり、胴周り部２０の形状が維持されやすくなる。ただし、上記に限らず、係止部４０よりも外側の領域のうち、左右方向の一部や上下方向の一部に、別のシート６１が配置されていてもよい。
【００６６】
また、図６に示すように、別のシート６１は、左右方向における係止部４０よりも外側の、一対のシート２１，２２間において、一対のシート２１，２２に接着剤６２で固定されていることが好ましい。そうすることで、係止部４０よりも左右方向の外側の領域は、別のシート６１に加えて、接着剤６２によっても剛性が高まる。つまり、接着剤６２も補強手段６０として機能する。なお、係止部４０よりも左右方向外側の領域には、胴周り伸縮部材２３の一部が収縮した状態で残っているが、接着剤６２を用いた場合、このような収縮した胴周り伸縮部材２３の一部を一対のシート２１，２２間に固定することができる。したがって、収縮した胴周り伸縮部材２３の剛性と接着剤６２の剛性とによって、当該領域の剛性をより高めることができる。よって、胴周り部２０の形状が維持されやすくなる。ただし、上記に限らず、別のシート６１を係止部４０によって固定してもよい。
【００６７】
また、図５に示すように、左右方向において、別のシート６１の内側端６１ｂは、係止部４０の内側端４０ｂよりも内側に位置していることが好ましい。このように、別のシート６１が係止部４０を跨いで配置されることで、係止部４０において別のシート６１を一対のシート２１，２２にしっかりと固定できる。
【００６８】
また、パンツ型おむつ１の場合、ユーザーは係止部４０を破って、おむつ１を取り外すことが多い。そのため、係止部４０を溶着で係止する場合、一対のシート２１，２２と共に別のシート６１も溶着するとよい。そうすることで、係止部４０を破る際にシート６１が伸びるため、シート６１が溶着されていない場合と比較して、係止部４０がゆっくりと破れるようになる。これにより、係止部４０が一気に破れてしまったり、胴周り部２０のうち係止部４０以外の部分が破れてしまったりすることを抑制しやすくなる。また、一対のシート２１，２２と異なる材質のシート６１が溶着される場合、すなわち、異なる成分同士が溶着される場合には、係止部４０の溶着強度が弱まる。この場合、ユーザーが係止部４０を破りやすくなり、おむつ１を容易に交換できる。
【００６９】
また、図５に示すように、左右方向において、別のシート６１の内側端６１ｂは、端部固定部５０の内側端５０ｂよりも外側に位置していることが好ましい。つまり、別のシート６１は、端部固定部５０を超えて吸収性本体１０側まで延びていないとよい。そうすることで、別のシート６１が左右方向に不要に長くなることがなく、胴周り部２０の柔軟性が向上する。また、この場合、連続伸縮部材２３１の非固定部５１が別のシート６１と重ならない。つまり、非固定部５１が位置する領域の全域に別のシート６１が配置されていないことになる。このように、非固定部５１が位置する領域の全域に補強手段６０が配置されていないことで、非固定部５１による胴周り部２０の柔軟性向上の効果を、補強手段６０で軽減してしまうことを防止できる。
【００７０】
ただし、上記に限定されず、非固定部５１が位置する領域の一部に別のシート６１が配置されていてもよい。例えば、左右方向において、別のシート６１の内側端６１ｂが、端部固定部５０の内側端５０ｂよりも内側に位置していてもよい。その場合にも、左右方向において、別のシート６１の内側端６１ｂは、吸収性本体１０の外側端１０ａよりも外側に位置していることが好ましい。そうして、別のシート６１を左右方向に不要に長くしないことで、胴周り部２０の柔軟性が向上する。
【００７１】
また、補強手段６０を別のシート６１とする場合、別のシート６１と一対のシート２１，２２を異なる色にすることが好ましい。例えば、白色である一対のシート２１，２２に対して、別のシート６１を青色やピンク色等の有色にするとよい。そうすることで、おむつ１の外部（非肌側）から着色された別のシート６１が、直接、又は一対のシート２１，２２を透かして視認される。そのため、別のシート６１がユーザーに着目されやすくなり、係止部４０の位置が認識されやすくなる。よって、ユーザーは、係止部４０を直ぐにみつけて破ることができ、おむつ１を容易に交換できる。また、腹側と背側とで別のシート６１の色を変更しても良い。例えば、腹側を青、背側を赤とすることで、おむつ１の前後の視認判別性が向上し、おむつ１が前後を逆にして着用されてしまうこと等を抑制できる。さらに、別のシート６１にデザインや図柄、文字情報等を設けても良い。例えば、シート６１にボーダー柄やブランド名を付してデザイン性を向上させたり、係止４０を破る際の破り始めの位置を示す情報を表示することによって、ユーザーの利便性をより高めたりすることができる。
【００７２】
また、連続伸縮部材２３１の両端部を一対のシート２１，２２に固定する一対の端部固定部は一対の係止部４０であってもよい。しかし、図４に示すように、係止部４０とは別に、左右方向における係止部４０よりも内側に端部固定部５０を配置するとよい。そうすることで、端部固定部５０によって連続伸縮部材２３１の両端部を一対のシート２１，２２にしっかりと固定できる。また、端部固定部５０が位置する領域は、非固定部５１が位置する領域に比べて剛性が高まる。そのため、端部固定部５０によっても胴周り部２０の形状が維持されやすくなる。なお、少なくとも左右方向における係止部４０よりも内側に端部固定部５０が配置されていればよく、端部固定部５０が係止部４０を跨いで配置されていてもよいし、端部固定部５０が係止部４０から左右方向の内側に離間して配置されていてもよい。
【００７３】
ただし、図４に示すように、左右方向の一方側の端部固定部５０と他方側の端部固定部５０との間の領域（一対の端部固定部５０の内側端５０ｂ間）の左右方向の長さＷ１は、吸収性本体１０の左右方向の長さＷ２よりも長いことが好ましい（Ｗ１＞Ｗ２）。そうして、端部固定部５０の左右方向の長さを比較的に短くすることで、胴周り部２０の柔軟性が向上する。なお、長さＷ１，Ｗ２を比較する場合には、おむつ１を左右方向に皺なく伸長させた状態で行うものとする。
【００７４】
また、係止部４０を溶着で係止する場合、図８Ａに示すように、係止部４０は、左右方向に分割された半円形状である溶着部４１を上下方向に並んで複数有することが好ましい。溶着部４１が上下方向に並ぶことで、係止部４０の上下方向の剛性が高まり、係止部４０が上下方向に潰れにくくなる。よって、係止部４０が柱として機能し、胴周り部２０の形状が維持されやすくなる。一方、溶着部４１を左右方向に分割した半円にすることで、係止部４０の左右方向の長さが短くなる。よって、係止部４０の溶着面積が小さくなり、溶着強度を弱めることができ、ユーザーは係止部４０を容易に破ることができる。また、係止部４０の左右方向の長さが不要に長くなることを抑制することで、胴周り部２０の柔軟性が向上する。
【００７５】
また、図８Ａに示すように、溶着部４１が左右方向の外側に凸となる半円形状である場合、係止部４０の左右方向の内側端部において、溶着部４１の面積率が高まり、溶着強度が高まる。よって、係止部４０は、着用者の胴周りから受ける力に抗することができ、着用時の係止部４０の破損を防止できる。逆に、溶着部４１が左右方向の内側に凸となる半円形状であってもよい。この場合、係止部４０の左右方向の内側端部において、溶着部４１の面積率が低下し、溶着強度が弱まる。よって、おむつ１の交換時に、ユーザーが左右方向の内側から外側に向かって係止部４０を破る際に、容易に破ることができる。
【００７６】
また、係止部４０は、複数の溶着部４１が上下方向に並んだ列を１列有することが好ましい。そうすることで、係止部４０の上下方向の剛性が高まり、胴周り部２０の形状が維持されやすくなる。また、係止部４０の左右方向の長さが短くなるため、係止部４０が破られやすくなり、かつ、胴周り部２０の柔軟性が向上する。
【００７７】
ただし、溶着部４１のパターンは、上記に限定されない。例えば、図８Ｂに示すように左右方向に長い楕円形状である溶着部４１を上下方向に並んで複数有してもよい。この場合も、係止部４０の左右方向の内側端部において、溶着部４１の面積率が低下し、溶着強度が弱まるため、係止部４０が破られやすくなる。その他、上下方向に並んだ溶着部４１の列が左右方向に複数並んでもよい。
【００７８】
また、図４に示す胴周り部２０では、全ての連続伸縮部材２３１が非固定部５１を有するが、これに限らない。複数の連続伸縮部材２３１のうちの少なくとも１つが非固定部５１を有していればよい。ただし、非固定部５１を有する連続伸縮部材２３１の数が増えるにしたがって、胴周り部２０の柔軟性が向上する。
【００７９】
また、非連続伸縮部材２３２も、その連続部分における左右方向の両端部が一対のシート２１，２２に固定された端部固定部５０と、一対のシート２１，２２に固定されていない非固定部５１を有するとよい。このように非連続伸縮部材２３２も非固定部５１を有することで、胴周り部２０の柔軟性が向上する。ただし、非連続伸縮部材２３２は非固定部５１を有していなくてもよい。
【００８０】
また、図４に示すように、連続伸縮部材２３１の非固定部５１が左右方向の一方側の端部固定部５０から他方側の端部固定部５０まで連続して配置されるに限らない。例えば、図７の変形例に示すように、連続伸縮部材２３１は、左右方向における端部固定部５０の内側において一対のシート２１，２２に固定された中央固定部５２を有していてもよい。中央固定部５２によって、連続伸縮部材２３１の上下方向の動きが規制される。そのため、連続伸縮部材２３１の上下方向の間隔が維持されやすく、胴周り部２０の広い範囲に亘り伸縮性を付与できる。
【００８１】
また、中央固定部５２は、左右方向において吸収性コア１１Ａと重複する領域に配置されているとよい。そうすることで、左右方向に吸収性コア１１Ａが存在する領域において、連続伸縮部材２３１が肌側シート２１に固定される。よって、連続伸縮部材２３１が着用者に密着する位置に、肌側シート２１も固定され、肌側シート２１に間接的に固定されている吸収性コア１１Ａも上下方向に位置ずれし難くなる。その結果、着用者に対する吸収性コア１１Ａのフィット性が増し、排泄物が漏れ難くなり、おむつ１の着け心地が向上する。ただし、図７に示す非固定部５１及び中央固定部５２の配置パターンは一例であり、これに限定されない。
【００８２】
（第２実施形態）
図９は、第２実施形態の腹側胴周り部２０の端部の概略平面図である。図１０は、第２実施形態における係止部４０よりも外側の領域の概略断面図である。
【００８３】
第２実施形態では、図９及び図１０に示すように、補強手段６０を、胴周り伸縮部材２３、及び、当該胴周り伸縮部材２３を一対のシート２１，２２に固定する接着剤６３とする。左右方向における係止部４０よりも外側の領域において、胴周り伸縮部材２３が接着剤６３で固定されていることで、その外側の領域に胴周り伸縮部材２３及び接着剤６３が存在することになり、その外側の領域を補強できる。補強手段６０としての胴周り伸縮部材２３は、連続伸縮部材２３１であっても、非連続伸縮部材２３２であってもよい。
【００８４】
また、胴周り伸縮部材２３の非固定部５１が位置する領域では、胴周り伸縮部材２３が接着剤で固定されておらず、補強手段６０が配置されていないことになる。よって、胴周り部２０の柔軟性が維持される。
【００８５】
また、図９に示すように、補強手段６０（接着剤６３で固定された胴周り伸縮部材２３）は、少なくとも、左右方向において、係止部４０の外側端４０ａから胴周り部２０の端２０ａに亘り配置されていることが好ましい。そうすることで、左右方向における係止部４０よりも外側の領域の、左右方向の広い範囲が補強されて、剛性が高まり、胴周り部２０の形状がより維持されやすくなる。ただし、上記に限らず、補強手段６０が胴周り部２０の外側端２０ａまで達していなくてもよい。
【００８６】
また、複数の胴周り伸縮部材２３のうちの少なくとも１つが、左右方向における係止部４０よりも外側の領域において接着剤６３で固定されていればよい。しかし、図９に示すように、左右方向における係止部４０よりも外側の領域において、接着剤６３で固定される胴周り伸縮部材２３の数が多いほど、上下方向の広い範囲が補強され、剛性が高まる。そのため、胴周り部２０の形状がより維持されやすくなる。
【００８７】
また、補強手段６０である胴周り伸縮部材２３が、一対の端部固定部５０と非固定部５１を有する連続伸縮部材２３１であり、端部固定部５０では、連続伸縮部材２３１が一対のシート２１，２２に接着剤６３で固定されているとする。その場合、端部固定部５０の接着剤６３と、補強手段６０である接着剤６３とが、左右方向に連続しているとよい。
【００８８】
そうすることで、おむつ１の製造工程において、端部固定部５０の接着剤６３の塗布工程と、補強手段６０である接着剤６３の塗布工程を、連続して行うことができる。よって、接着剤６３の塗布工程を容易にすることができる。
【００８９】
同様に、補強手段６０である非連続伸縮部材２３２が、一対の端部固定部５０と非固定部５１を有する場合にも、端部固定部５０の接着剤６３と、補強手段６０である接着剤６３とが、左右方向に連続しているとよい。そうすることで、接着剤６３の塗布工程を容易にすることができる。
【００９０】
また、図示しないが、胴周り部２０は、非固定部５１を有さない胴周り伸縮部材２３を有していてもよく、その胴周り伸縮部材２３が補強手段６０であってもよい。その場合も、係止部４０よりも左右方向の内側において胴周り伸縮部材２３を一対のシート２１，２２に固定する接着剤と、補強手段６０である接着剤とが、左右方向に連続しているとよい。そうすることで、接着剤の塗布工程を容易にすることができる。
【００９１】
また、図９に示すように、左右方向において、補強手段６０の内側端６０ｂ（ここでは端部固定部５０の内側端５０ｂ）は、吸収性本体１０の外側端１０ａよりも外側に位置していることが好ましい。そうすることで、補強手段６０（端部固定部５０）が左右方向に長くなり過ぎてしまうことを抑制でき、胴周り部２０の柔軟性が向上する。
【００９２】
また、図９では、端部固定部５０及び補強手段６０である接着剤６３が、胴周り伸縮部材２３毎に上下方向に間隔をあけて配置されている。そうすることで、胴周り部２０の左右方向の端部の剛性が高まり過ぎてしまうことを抑制でき、胴周り部２０の柔軟性が向上する。ただし、上記に限らず、端部固定部５０及び補強手段６０である接着剤６３が、上下方向に連続していてもよい（不図示）。
【００９３】
また、第２実施形態、及び、前述の第１実施形態の胴周り部２０は、左右方向における端部固定部５０よりも内側において、一対のシート２１，２２同士が接合されるシート接合部を有さない。このシート接合部（本発明の第１シート接合部）とは、左右方向における端部固定部５０よりも内側において胴周り伸縮部材２３を一対のシート２１，２２に固定する部位（例えば図７に示す中央固定部５２等、胴周り伸縮部材２３を挟み込んだ状態で一対のシート２１，２２が接合されている部位）と、非連続であり、上下方向に間隔をあけて配置される部位である。つまり、シート接合部は、胴周り伸縮部材２３と交差することなく配置される部位であり、一対のシート２１，２２の対向する面同士を直接接合している部位である。例えば、後述する第３実施形態（図１１）に示すシート接合部７０である。
【００９４】
シート接合部では、一対のシート同士２１，２２が接合されていない部位に比べて、剛性が高まる。そのため、第１，第２実施形態のように胴周り部２０がシート接合部を有さないことで、胴周り部２０の柔軟性がより向上する。
【００９５】
（第３実施形態）
図１１及び図１２は、第３実施形態の胴周り部２０の概略平面図である。第３実施形態の胴周り部２０は、左右方向における係止部４０の外側端４０ａよりも内側の領域に、一対のシート２１，２２同士が接合されたシート接合部７０，７１（本発明の第２シート接合部）が配置されている。シート接合部７０，７１における一対のシート２１，２２の接合方法としては、接着剤や溶着による周知の接合を例示できる。
【００９６】
以下、第２実施形態で説明した胴周り部２０（図９）がシート接合部７０，７１を有する場合について説明するが、第１実施形態で説明した胴周り部２０が以下に説明するシート接合部７０，７１を有していてもよい。
【００９７】
胴周り伸縮部材２３の非固定部５１が位置する領域では、一対のシート２１，２２が離間する。そのため、おむつ１の外観において、非肌側シート２２が浮いて視認されやすく、胴周り伸縮部材２３が収縮した際に、不規則な大きな縦皺が形成されやすい。よって、胴周り部２０にシート接合部７０，７１を設けることで、非肌側シート２２の浮きを抑制でき、おむつ１の外観を向上させることができる。
【００９８】
図１１に示すシート接合部７０は、おむつ１の上下方向よりも左右方向に長く延びている。また、胴周り伸縮部材２３を一対のシート２１，２２に固定する部位（例えば端部固定部５０や図７に示す中央固定部５２等）と、シート接合部７０は、非連続であり、上下方向に間隔をあけて配置されている。つまり、シート接合部７０は、胴周り伸縮部材２３と交差することなく配置されている。このように、左右方向に長く延びたシート接合部７０を胴周り部２０に設けることで、胴周り伸縮部材２３が収縮した際に、規則的な細かな縦皺が形成されやすくなる。そのため、おむつ１の外観が向上し、胴周り部２０のフィット性が良いといった印象をユーザーに付与できる。
【００９９】
また、シート接合部７０によって胴周り伸縮部材２３の上下方向の動きが規制される。そのため、胴周り伸縮部材２３の上下方向の間隔が維持されやすく、胴周り部２０の広い範囲に亘り伸縮性を付与できる。
【０１００】
しかし、胴周り部２０がシート接合部７０を有する場合、胴周り部２０がシート接合部７０を有さない場合に比べると、胴周り部２０の柔軟性は軽減されてしまう。ただし、シート接合部７０は、胴周り伸縮部材２３に比べて着用者の肌に密着し難い。そのため、胴周り伸縮部材２３を一対のシート２１，２２に固定する接着剤等の硬さに比べて、シート接合部７０の接着剤等の硬さをユーザーは感じ難く、胴周り部２０の着け心地の低下を抑制できる。
【０１０１】
また、図１１に示すシート接合部７０に限定されない。例えば、シート接合部７０は、左右方向に連続して延びることなく、左右方向に間欠的に配置されていてもよい。また、非連続伸縮部材２３２を有する胴周り部２０の場合、非連続伸縮部材２３２の非連続部分にはシート接合部７０を配置しなくてもよい。また、上下方向に並ぶ胴周り伸縮部材２３の複数の間の一部にのみシート接合部７０を配置してもよい。
【０１０２】
また、図１２に示すように、シート接合部７１が、胴周り伸縮部材２３と上下方向に交差して配置されていてもよい。具体的に、図１２では、吸収性コア１１Ａの左右方向の両端部と同じ左右方向の位置であり、吸収性コア１１Ａよりも上方に、一対のシート接合部７１が配置されている。シート接合部７１は、上下方向に長く延びた矩形状である。
【０１０３】
図１２に示すシート接合部７１によって、連続伸縮部材２３１の上下方向の動きが規制される。そのため、上下方向における連続伸縮部材２３１の間隔が維持されやすく、胴周り部２０の広い範囲に亘り伸縮性を付与できる。
【０１０４】
また、胴周り部２０の左右方向の両端部は、補強部材６０により補強される等しているため、たくれたり、つぶれたりし難い。図１２の場合、胴周り部２０の左右方向の中央部も、シート接合部７１が上下方向に伸びた柱として機能するため、たくれたり、つぶれたりし難くなっている。そのため、胴周り部２０の形状がより維持されやすい。
【０１０５】
そして、図１１，図１２に示すように、シート接合部７０，７１は、左右方向における係止部４０の外側端４０ａよりも外側の領域に配置されていないことが好ましい。そうすることで、係止部４０よりも外側の領域の剛性が高まり過ぎてしまうことを抑制でき、胴周り部の柔軟性を向上させることができる。
【０１０６】
また、図１１，図１２に示すように、シート接合部７０，７１は、係止部４０から左右方向の内側に離間して配置されていることが好ましい。そうすることで、係止部４０の剛性が高まり過ぎてしまうことを抑制でき、胴周り部２０の柔軟性を向上させることができる。また、シート接合部７０，７１が接着材で接合され、係止部４０が溶着で係止される場合、係止部４０における接着剤の塗布量を軽減でき、係止部４０における接着剤の染み出しを抑制できる。
【０１０７】
また、図１１，図１２に示すように、左右方向において、シート接合部７０，７１の外側端７０ａ，７１ａは、端部固定部５０の内側端５０ｂよりも内側に位置していることが好ましい。そうすることで、左右方向における端部固定部５０が位置する領域の剛性が高まり過ぎてしまうことを抑制でき、胴周り部２０の柔軟性を向上させることができる。
【０１０８】
ただし、上記に限らず、例えば図１１に示すシート接合部７０が、左右方向における係止部４０よりも外側の領域まで延びていてもよいし、左右方向において係止部４０や端部固定部５０と重複していてもよい。
【０１０９】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１１０】
上述の実施形態では、不織布等の一対の柔軟なシート２１，２２（３１，３２）によって胴周り部２０（３０）が構成されていたが、一対のシート２１，２２の表面に複数の開孔２５が設けられていても良い。図１３は、複数の開孔２５を有するシート２１、２２の一例を表す概略斜視図である。図１３の例では、肌側シート２１は、表裏に貫通する開孔２５が間隔を空けて複数設けられた開孔不織布となっている。なお、複数の開孔２５は、非肌側シート２２に設けられていても良いし、肌側シート２１及び非肌側シート２２の双方に設けられていても良い。
【０１１１】
一対のシート２１，２２の少なくとも一方に複数の開孔２５が設けられることにより、シートの通気性が向上し、おむつ１の着用時において、胴周り部２０を蒸れにくくすることができる。一方で、このような開孔２５は、通常、加熱されたピン部材（不図示）等を使用して形成されるが、その際、開孔２５の外周縁部が溶融及び固化されることにより、該開孔２５が硬くなってしまうおそれがある。この場合、胴周り部２０の柔軟性が損なわれ、胴周り部２０の肌触りが悪化してしまう。また、開孔２５が設けられ、且つ、胴周り伸縮部材２３の全域に固定用の接着剤が塗工されていた場合、胴周り伸縮部材２３が収縮したときに、接着剤の目付が相対的に高くなり、接着剤の粘着感が開孔２５を通じて全ての胴周り伸縮部材２３から感じられるようになるおそれがある。
【０１１２】
これに対して、胴周り部２０は、幅方向において、一対の端部固定部５０，５０よりも内側の領域に、胴周り伸縮部材２３が胴周り部２０に固定されてない非固定部５１を有している。そして、非固定部５１が設けられている領域と、複数の開孔２５が設けられている領域とが重複する部分を有している。胴周り部２０は、非固定部５１が設けられている領域において高い柔軟性を有しているため、当該領域では開孔２５の外周縁部の硬化による影響を相対的に小さくすることができる。すなわち、胴周り部２０全体としての触感が硬くなりにくい。また、非固定部５１においては、胴周り伸縮部材２３に接着剤が塗工されていないため、開孔２５を通じて着用者に接着剤の粘着感を感じさせることを抑制できる。したがって、着用者に不快感を生じさせること無く、胴周り部２０の柔軟性及び通気性を向上させることができる。
【符号の説明】
【０１１３】
１  パンツ型使い捨ておむつ（吸収性物品）、
１０  吸収性本体、１１  吸収体、
１１Ａ  吸収性コア、１１Ｂ  コアラップシート、
１２  トップシート、１３  バックシート、１４  外装シート、
２０  腹側胴周り部（胴周り部）、３０  背側胴周り部（胴周り部）、
２１，３１  肌側シート（シート）、
２２，３２  非肌側シート（シート）、
２３，３３  胴周り伸縮部材（伸縮部材）、
２３１  連続伸縮部材、２３２  非連続伸縮部材、
２５  開孔、
４０  係止部、４１，４２  溶着部、
５０  端部固定部、５１  非固定部、
５２  中央固定部、
６０  補強手段、６１  別のシート，フィルム、６２，６３  接着剤、
７０  シート接合部（第１シート接合部，第２シート接合部）、
７１  シート接合部（第２シート接合部）、
【図１】
2020151254.tif 000003
【図２】
2020151254.tif 000004
【図３】
2020151254.tif 000005
【図４】
2020151254.tif 000006
【図５】
2020151254.tif 000007
【図６】
2020151254.tif 000008
【図７】
2020151254.tif 000009
【図８】
2020151254.tif 000010
【図９】
2020151254.tif 000011
【図１０】
2020151254.tif 000012
【図１１】
2020151254.tif 000013
【図１２】
2020151254.tif 000014
【図１３】
2020151254.tif 000015